(57)【要約】【課題】内容物であるＣＤやＤＶＤのＣＤ収納部からの脱落をより効果的に防止できるファイルを提供する。【解決手段】上地１Ｂと下地１Ａの端１ａ、１Ｂｂ、１Ｂｃが開口部１Ｂｄを除いて綴じられて収納部２が形成されたファイルであって、上地上１Ｂにポケット地４が設けられ、前記開口部１Ｂｄが設けられた側４ｄが開口され、他の端４ａ〜４ｃは上地１Ｂと綴じられ、主としてＣＤ（コンパクトディスク）やＤＶＤが収納されるＣＤ収納部５が形成され、ＣＤ収納部５のＣＤ収納部開口部６は、当該開口部６を基端としＣＤ収納部５内側へ延在する、内容物の脱落を防止する弁７が形成され、ＣＤ収納部開口部と対向する側４ｂ（６ｂ）から弁の先端７ｂまでの距離が１２ｃｍより大きい。【選択図】図１
2008296999.tif 000002
【特許請求の範囲】
【請求項１】
上地と下地の端が開口部を除いて綴じられて収納部が形成されたファイルであって、
上地上にポケット地が設けられ、前記開口部が設けられた側が開口され、他の端は上地と綴じられ、主としてＣＤ（コンパクトディスク）やＤＶＤが収納されるＣＤ収納部が形成され、
ＣＤ収納部の開口部（ＣＤ収納部開口部）は、当該開口部を基端としＣＤ収納部内側へ延在する、内容物の脱落を防止する弁が形成され、
ＣＤ収納部開口部と対向する側から弁の先端までの距離が１２ｃｍより大きい、
ＣＤ収納部付きファイル。
【請求項２】
上地と下地の端が開口部を除いて綴じられて収納部が形成されたファイルであって、
上地上にポケット地が設けられ、前記開口部が設けられた側が開口され、他の端は上地と綴じられ、主としてＣＤ（コンパクトディスク）やＤＶＤが収納されるＣＤ収納部が形成され、
ＣＤ収納部の開口部（ＣＤ収納部開口部）は、当該開口部を基端としＣＤ収納部内側へ延在する、内容物の脱落を防止する弁が形成され、
ＣＤ収納部開口部と対向する側から弁の先端までの距離が１２．５ｃｍ以上１８ｃｍ以下である、
ＣＤ収納部付きファイル。
【請求項３】
上地と下地の端が開口部を除いて綴じられて収納部が形成されたフォルダーであって、
上地上にポケット地が設けられ、前記開口部が設けられた側が開口され、他の端は上地と綴じられ、主としてＣＤ（コンパクトディスク）やＤＶＤが収納されるＣＤ収納部が形成され、
ＣＤ収納部の開口部（ＣＤ収納部開口部）は、当該開口部を基端としＣＤ収納部内側へ延在する、内容物の脱落を防止する弁が形成され、
ＣＤ収納部開口部と対向する側から弁の先端までの距離が１２ｃｍより大きい、
ＣＤ収納部付きフォルダー。
【請求項４】
上地と下地の端が開口部を除いて綴じられて収納部が形成されたフォルダーであって、
上地上にポケット地が設けられ、前記開口部が設けられた側が開口され、他の端は上地と綴じられ、主としてＣＤ（コンパクトディスク）やＤＶＤが収納されるＣＤ収納部が形成され、
ＣＤ収納部の開口部（ＣＤ収納部開口部）は、当該開口部を基端としＣＤ収納部内側へ延在する、内容物の脱落を防止する弁が形成され、
ＣＤ収納部開口部と対向する側から弁の先端までの距離が１２．５ｃｍ以上１８ｃｍ以下である、
ＣＤ収納部付きフォルダー。
【請求項５】
上地若しくは下地から見出し部が突設されており、
ＣＤ収納部におけるＣＤ収納部開口部に接する辺の内、見出し部から遠い側の辺が、見出し部が突設されている辺と略平行若しくは略直交する関係である、請求項３又は４に記載のＣＤ収納部付きフォルダー。
【請求項６】
上地若しくは下地から見出し部が突設されており、
当該見出し部のいずれかの位置を挟持された場合に、ＣＤ収納部におけるＣＤ収納部開口部に接する辺の内、見出し部から遠い側の辺が、当該開口部に近づくにつれ重力方向上側になるように設計された、請求項３又は４に記載のＣＤ収納部付きフォルダー。
【発明の詳細な説明】
【技術分野】
【０００１】
本発明は、取扱説明書等の容量の大きな収納物を収納する収納部を備えると共に、特にＣＤ（コンパクトディスク）やＤＶＤが収納される、保証書等の容量の小さな収納物が収納されるＣＤ収納部が設けられたファイル並びにフォルダーに関する。
【背景技術】
【０００２】
従来、ＣＤ収納部が設けられたファイルが知られている（例えば非特許文献１、２を参照。）。非特許文献１に開示されたファイルにおけるＣＤ収納部は、ＣＤやＤＶＤ等、直径が１２ｃｍの円盤しか収納できない。これに対し非特許文献２に開示された本願出願人が製造・販売するファイルにおけるＣＤ収納部は、ＣＤ等以外にも、保証書等を収納することができる。そのため、非特許文献２に開示されたようなＣＤ収納部を備えたファイルの方が利便性が高く、利用者に広く支持されている。
【０００３】
非特許文献２に開示されたファイルにおけるＣＤ収納部は、略矩形であり、開放部の中央部が内側に折り曲げられて弁とされており、内容物としてのＣＤや保証書等が外部に脱落することがないようにされている。このような構造は、ＣＤ収納部の開口部を覆う蓋を別個設ける場合よりも製造工数を低減することができ、結果として製造コストを低くすることができるとともに、蓋を設ける場合と同等以上の脱落防止性能が得られる。蓋の場合、内容物が脱落しようとする場合に蓋が開くのを押さえる構造が存在しないが、以上のような弁構造を採用すると、内容物が脱落しようとする際に弁が開こうとするのを、弁が設けられた地（ポケット地）とこれに対向する地（上地）とによって妨げられるからである。すなわち、ポケット地が上地側へ押さえつけられるようにして綴じられているため、上地によって弁の移動が制限される結果、弁が開きにくくなるため（外側へ向きにくくなるため）、極めて高い収納物脱落防止性能が発揮される。
【非特許文献１】”説明書ファイル用追加シート（A4サイズ・4シート）”、［online］、エレコム株式会社、［２００７年５月２８日検索］、インターネット＜ＵＲＬ：http://www2.elecom.co.jp/accessory/manual-file/ccd-exp/index.asp＞
【非特許文献２】”取扱説明書ファイル用ポケット（６穴）”、キングジム総合カタログ、Ｐ１１８、キングジム、２００７年１月発行
【非特許文献３】”カットフォルダー（100％再生紙）A4-E  マチ付  3山”、［online］、プラス株式会社、［２００７年５月２８日検索］、インターネット＜ＵＲＬ：http://item.plus.co.jp/search_2007/DispDetail.do?itemID=t000100000922&volumeName=00014&sv10=&searchDataStrings=&sv1=&sv2=&sv3=&sv4=&sv5=&sv6=&sv7=&sv8=&sv9=＞
【発明の開示】
【発明が解決しようとする課題】
【０００４】
本発明は、ＣＤ収納部付きファイルにおいて、上記弁がより機能し、内容物であるＣＤやＤＶＤのＣＤ収納部からの脱落をより効果的に防止できるファイルを提供することを第１の目的とする。
【０００５】
また、非特許文献３に開示されるような、上地と下地の少なくとも一辺が綴じられて形成されるフォルダーにＣＤ収納部を設けた構成において、ＣＤ収納部に収納されるＣＤやＤＶＤの脱落を効果的に防止できるフォルダーを提供することを第２の目的とする。
【課題を解決するための手段】
【０００６】
本発明に係るＣＤ収納部付きファイルは、下記構成要件を具備する。
（１）上地と下地とが、開口部を除いて端で綴じられ、書類や取扱説明書等の収納物が収納可能な収納空間（収納部）が構成されている。
（２）上地上にポケット地が設けられ、前記開口部が設けられた側が開口され、他の端は上地と綴じられ、主としてＣＤやＤＶＤが収納されるＣＤ収納部が形成されている。
（３）ＣＤ収納部の開口部（ＣＤ収納部開口部）には、当該開口部を基端としＣＤ収納部内側へ延在する、内容物の脱落を防止する弁が形成されている。言い換えると、弁は、開口部におけるポケット地が内側へ折り曲げられた形態をとる。
（４）ＣＤ収納部開口部と対向する側から、ＣＤ収納部開口部の内側に折られた状態における弁の先端までの距離が１２ｃｍより大きく設定されている。
【０００７】
以上の構成を備えたファイルは、ＣＤ収納部にＣＤやＤＶＤ（以下、「ＣＤ等」と表記する。）が入れられた際、ＣＤ等のポケット地と接する面とは反対側の面に弁が接するように弁を配置させる必要がなくなる。ＣＤ収納部が傾き、ＣＤ等が開口部近傍に配置された場合、ＣＤ等は、弁とポケット地との間に挟まれ、脱落が防止されるからである。
【０００８】
なお、ポケット地におけるＣＤ収納部開口部側を内側に折られて形成された弁は、折られていない状態に戻ろうとする力が働くため、先端部を上地側へ押しつけようとする力が働く。したがって、ＣＤ等が、弁とポケット地との間に入る確率は極めて高くなる。ただし、弁とポケット地は別体として形成された部品を貼り合わせるなどして構成されていてもよい。
【０００９】
したがって、ＣＤ収納部の開口部が重力方向横向きや下向きに配置された場合であっても、ＣＤ等がＣＤ収納部から脱落する確率を極めて低いものにすることができる。言い換えれば、ＣＤ等をＣＤ収納部に入れるだけで、弁の配置を整えることなしに、ＣＤ等の脱落を防止することが可能となる。
【００１０】
また、通常状態（ＣＤ収納部開口部が重力方向上向きの状態）において、弁はＣＤ等と接していない。つまり、ＣＤ等におけるポケット地と接する面とは反対側の面に弁が配置されていない。したがって、ＣＤ等をＣＤ収納部から取り出す際に、弁をどける必要がなくなる。すなわち、ＣＤ収納部内でＣＤ等を挟持し、そのまま引き出せばＣＤ等を取り出すことが可能となる。
【００１１】
上記作用をより確実に得るためには、ＣＤ収納部開口部に対向する側〜内側に折られた状態（折られた形態）における弁の先端までの距離を１２．５ｃｍとすれば、主としてＣＤ等が収納されるＣＤ収納部において、前記作用がより確実に奏される。
【００１２】
また、ＣＤ収納部内をＣＤ等が移動すると、ＣＤ等に傷が着いてしまう。これを防止するために、上記距離は好ましくは１８ｃｍ以下、望ましくは１６．５ｃｍ以下に設定される。
【００１３】
本発明に係るＣＤ収納部付きフォルダーは、下記構成要件を具備する。
（５）上地と下地のそれぞれ少なくとも一辺が綴じられて、書類や取扱説明書等が収納される収納部が形成されている。
（６）上地上にはポケット地が設けられ、一の側を除き端が上地と綴じられた収納空間が形成されている。当該収納空間は、主としてＣＤやＤＶＤが収納されるＣＤ収納部である。
（７）ＣＤ収納部の開口部（ＣＤ収納部開口部）には、当該開口部を基端としＣＤ収納部内側へ延在する、内容物の脱落を防止する弁が形成されている。すなわち、当該弁は、ＣＤ収納部開口部におけるポケット地が内側に折り曲げられた形態をとる。ただし、弁とポケット地とは一体で整形されていなくてもよい。
（８）ＣＤ収納部開口部と対向する側からＣＤ収納部開口部の内側に折られた前記弁の先端までの距離が１２ｃｍより大きく設定されている。
【００１４】
以上の構成を備えたフォルダーは、上記ファイルと同様に、ＣＤ等を収納する際に、弁をＣＤ等と上地との間に存するように一々配置しなくとも、ＣＤ等がＣＤ収納部開口部から脱落しようとする際に弁とポケット地の間に挟まれて外部にでられないようにされる。つまり、ＣＤ等をＣＤ収納部に入れるだけで、弁による脱落防止機能が発揮される。
また、ＣＤ等をＣＤ収納部から取り出す際にも、上記したように、弁の配置を変える必要なく取り出すことが可能となる。
【００１５】
ＣＤ収納部開口部に対向する側〜弁の先端までの距離は、前記作用をより確実に得るため好ましくは１２．５ｃｍ以上に設定される。また、前記同様の理由により、好ましくは１８ｃｍ以下、望ましくは１６．５ｃｍ以下に設定される。
【００１６】
上記フォルダーには、フォルダー収納什器やフォルダー収納ボックス等のフォルダー収納器に収納された状態において、他のフォルダーとの区別を行うためのインデックスとしての機能と、フォルダー収納器から取り出すための持ち手としての機能とを担う見出し部が好適に付加される。見出し部は、上地若しくは下地から突設して設けられる。
【００１７】
このような見出し部が設けられた構成においては、ＣＤ収納部におけるＣＤ収納部開口部に接する辺の内、見出し部から遠い側の辺は、見出し部が突設されている辺と略平行若しくは略直交する関係とされる。
また、見出し部のいずれかの位置を支点として挟持された場合にも、ＣＤ収納部におけるＣＤ収納部開口部に接する辺の内、見出し部から遠い側の辺が、当該開口部に近づくにつれ重力方向上側になる形状の辺に設計してもよい。
【００１８】
このように設計すれば、見出し部のいずれの位置を挟持された場合であっても、ＣＤ収納部開口部に接続する重力方向下側になる辺は、当該開口部方向が上側になるよう配置される。したがって、ＣＤ等は、ＣＤ収納部開口部とは反対側にガイドされるため、脱落が防止される。
【発明の効果】
【００１９】
上記説明からも明らかなように、本発明によれば、ＣＤ収納部からＣＤ等が脱落するのを従来以上に防止し得るＣＤ収納部付きファイルを提供することができる。
また、ＣＤ収納部からのＣＤ等の取り出しを従来以上に容易にしたＣＤ収納部付きファイルを提供することができる。
さらに、ＣＤ収納部からＣＤ等が脱落することを効果的に防止したＣＤ収納部付きフォルダーを提供することが可能となる。
【発明を実施するための最良の形態】
【００２０】
以下、本発明に係る実施の形態を、図面を参照しながら詳細に説明する。
【実施例１】
【００２１】
図１は、本発明の実施の形態に係るＣＤ収納部付きファイル１の正面図である。ファイル１は、ポリプロピレン製の一枚のシートを一辺１ａで折り返され、一方を下地１Ａ、他方を上地１Ｂとされている。すなわち下地１Ａと上地１Ｂとが辺１ａで綴じられている。辺１ａと接続する上地の辺１Ｂｂと、辺１Ｂｂと接続し辺１ａと対向する上地の辺１Ｂｃは、それぞれ下地１Ａと熱融着され綴じられている。上地１Ｂにおける直線部と曲線部とで構成された辺１Ｂｄは下地１Ａとは綴じられていない。したがって、上地の辺１ａ、辺１Ｂｂ、辺１Ｂｃによって収納部（収納空間）２が形成されている。収納部２への収納物の出し入れは、上地の辺１Ｂｄ下地１Ａによって形成されている開口部３から行われる。このように、ファイル１は、開口部３以外の端（辺：１ａ、１Ｂｂ、１Ｂｃ）が綴じられて収納部２が形成され、書類や取扱説明書等の収納が行われる。なお、下地１Ａの大きさは、一般に、日本工業規格Ａ列４番（以下、「Ａ４」のように表記する。）やＡ５など、収納物としての書類・取扱説明書等の大きさにあわせた大きさに設定される。
【００２２】
上地１Ｂの下地１Ａと接していない側の面上には、ポリプロピレン製のポケット地４が貼り合わされている。ポケット地４の辺４ａは、上地１Ｂの辺１ａ側に配置され、上地１Ｂと熱融着されて綴じられている。辺４ｂは、辺１Ｂｂ側に配置され、上地１Ｂと熱融着されて綴じられている。辺４ｃは、辺１Ｂｃ側に配置されて、上地１Ｂと熱融着されて綴じられている。二つの直線部で構成されている辺４ｄは上地１Ｂと綴じられていない。したがって、上地１Ｂとポケット地４とは、辺４ａ、辺４ｂ、辺４ｃにおいて綴じられた収納空間（ＣＤ収納部）５を形成し、当該収納空間（ＣＤ収納部）５への収納物の出し入れは辺４ｄと上地１Ｂとで形成されるＣＤ収納部開口部６から行われる。
【００２３】
ＣＤ収納部５は、ＣＤやＤＶＤ等、直径が１２ｃｍと規定された円盤状の収納物（適宜「ＣＤ等」と表記する。）を主要な収納物とするため、ＣＤ等の脱落を防止するため、特に以下のように設計されている。
【００２４】
（Ａ）ＣＤ収納部開口部６は、前記したように、ファイル１の主たる収納空間である収納部２の開口部３が設けられている側・方向に設けられている。言い換えれば、収納部２に収納物が出し入れされる方向と、ＣＤ収納部５にＣＤ等が出し入れされる方向は略同一方向とされている。
以上の構成を備えているため、ファイル１の通常状態である、開口部３を重力方向上向きとした際に、ＣＤ収納部５内に収納されたＣＤ等は、ＣＤ収納部開口部６とは反対側の方向（辺４ｂ方向）へ力（重力）が働くため、ＣＤ等がＣＤ収納部開口部６から脱落することはない。
【００２５】
（Ｂ）ＣＤ収納部開口部６（辺４ｄ）の一部が内側に折られ（ＣＤ収納部５内に折り込まれ）て、ＣＤ等の脱落を防止する弁７とされている。弁７は、ポケット地４が折られて形成されているため、元の状態（折られていない状態）に戻ろうとする。したがって、弁７は、先端７ｂを上地１Ｂへ押しつける。そのため、上地１Ｂと弁７との隙間は、弁７（先端７ｂ）とポケット地４との隙間に比べ小さなものにすることができる。
以上のような弁７を備えているため、ＣＤ収納部５に収納されたＣＤ等がＣＤ収納部開口部６側へ移動した際、当該ＣＤ等は、弁７とポケット地４との間の空間に収まる。弁７とポケット地４とはＣＤ収納部開口部６の位置で接続している（綴じられている）ため、ＣＤ等のＣＤ収納部５からの脱落が阻止される。
【００２６】
（Ｃ）ＣＤ収納部５内に折り込まれた弁７の先端７ｂから、ＣＤ収納部５内におけるＣＤ収納部開口部６と対向する辺（ＣＤ収納部開口部６を重力方向上側とした際の、ＣＤ収納部５内の底辺）６ｂまでの距離が１２ｃｍより大きく設定されている。
主たる収納物であるＣＤ等の直径は１２ｃｍと規定されている。したがって、上記した通常状態において、ＣＤ収納部に収納されたＣＤ等は、図２に示すように、底辺６ｂに支持され、弁７とは接しない位置に配置される。これに対し、ＣＤ収納部開口部６が重力方向横側（辺７ｂ、辺４ｄ等が重力方向と略同一方向）などにされた場合（このような状態を、適宜「傾けられた状態」と表記する。）、図３に示すように、ＣＤ等はＣＤ収納部開口部６側へ移動する。この際、上記（Ｂ）に記したように、弁７によってＣＤ等のＣＤ収納部５外への脱落は阻止される。
【００２７】
辺７ｂから辺６ｂまでの距離が１２ｃｍ以下のファイルでは、ＣＤ収納部５にＣＤ等を単に収納しただけでは、ＣＤ等は、上地１Ｂと弁７とに挟まれた状態となる。したがって、ファイルが傾けられた状態にされた場合、ＣＤ等が弁７とポケット地４との間に入り込まないため、弁７によるＣＤ等の脱落防止機能が発揮されないこととなる。弁７によるＣＤ等の脱落防止機能を発揮させるためには、ＣＤ収納部５にＣＤ等を収納した後、弁７を一旦ＣＤ収納部５外に折り出した後、ＣＤ等と上地１Ｂとの間に弁７を挟み込む（折り込む）必要がある。これに対し、本実施の形態に係るファイル１は、前記した通り、ＣＤ収納部５にＣＤ等を入れるだけで弁７によるＣＤ等の脱落防止機能が発揮される。
【００２８】
また、本実施の形態に係るファイル１は、図２に示すように、通常状態においてＣＤ等と弁７とが接していない。すなわち、ＣＤ等が弁７とポケット地４との間に配置されていない。したがって、ＣＤ等をＣＤ収納部５から取り出す際に、弁７をどかす作業を行う必要がない。
辺７ｂから辺６ｂまでの距離が１２ｃｍ以下のファイルにおいて、前記したＣＤ等の脱落防止機能を発揮させるためには、弁７を上記した位置に配置する必要がある。この状態においてＣＤ等を取り出すためには、弁７を挟持し、一旦外側へ折り返す（引き出す）作業が必要となる。しかし、本実施の形態に係るファイル１は、通常状態においてＣＤ等と弁７とが接していないため、ＣＤ等を取り出すに際し弁７をどかす作業が必要ない。
【００２９】
以上のように、ファイル１は、前記した構成を備え、それにより上述した作用・効果を奏する。また、ファイル１は、以下のように変形することも可能である。
【００３０】
・弁７の辺７ｂからＣＤ収納部５の辺４ｂ（６ｂ）までの距離の変更
上記距離は、少なくとも１２ｃｍより大きければよい。なお、ポケット地４と上地１Ｂとを熱融着で綴じる場合などには、辺４ｂ付近のポケット地４と上地１Ｂとの間隔が狭く、辺４ｂとＣＤ等とが接することができないことがある。そのような場合には、上記機能をより確実に発揮させるため、辺７ｂと辺４ｂとの距離を適当な大きさに設定する必要がある。一般には１２．５ｃｍ以上とすれば、ポケット地４や上地１Ｂとしてファイル製造に用いられるどのような材料を用い、どのような方法によって綴じられた場合であっても上記機能が十分に発揮される。
【００３１】
辺７ｂから辺４ｂまでの最大距離は、ファイル１の最大長に制限され、上記した例では、辺１ａの長さが最大長となる。ただし、ＣＤ収納部５は、主として直径１２ｃｍのＣＤ等が収納される収納部であるため、上記距離が長大であると、ＣＤ等が取り出しにくくなるばかりでなく、ファイル１の動き・傾きによって内部をＣＤ等が大きく動き回ってしまう。そのため、ファイル１が図２に示すような通常状態から図３に示すような傾けられた状態にされた際の、ＣＤ収納部５内でのＣＤ等の移動距離が長くなってしまい、その結果、ＣＤ等が弁７に与える力（仕事（Ｎ・ｍ）が大きくなり、弁７が外側に開き、ＣＤ等が脱落してしまう可能性が高くなる。また、移動距離が長くなると、ＣＤ等に傷が付きやすい。
そこで、弁７によるＣＤ等の脱落防止機能を有効に発揮させ、ＣＤ等が傷つくことを防止するため、７ｂ〜４ｂの距離は１８ｃｍ以下、好適には１６．５ｃｍ以下に設定される。
【００３２】
・弁の変形
図４に示すように、ＣＤ収納部開口部６全域に渡って弁７を設けてもよい。このような弁７を設ければ、弁７によるＣＤ等の脱落防止性能はより高くなる。
また、図５に示すように、弁７は複数設けてもよい。このように弁を設けたり、図１に示すようにＣＤ収納部開口部６の一部に弁７を設けるようにすれば、ポケット地４等として透明若しくは半透明な材料を採用した際、デザインの自由度を高くすることが可能となる。
【００３３】
なお、弁７は、好適にはＣＤ収納部開口部６の端から６ｃｍの位置をカバーするように設けられる。ＣＤ等の半径は６ｃｍであり、また、ＣＤ等はＣＤ収納部開口部６が接する辺４ａや４ｃにガイドされてＣＤ収納部開口部６まで内部を移動する確率が高いため、ＣＤ収納部５から脱落しようとするＣＤ等の脱落を防止するためには上記位置に弁７が設けられていることが望ましいからである。
また、弁７は、図５に示す弁７Ａや７Ｃのように、ＣＤ収納部開口部６の端をカバーする位置に好適に設けられる。前記したように、収納物はＣＤ収納部開口部６が接する辺４ａや４ｃにガイドされて当該開口部へ導かれる可能性が高いため、弁７Ａや７Ｃのような位置に弁７を設ければ、ＣＤ収納部５に収納されるＣＤ等以外の収納物の脱落を効果的に阻止できるからである。
【００３４】
・ＣＤ収納部開口部６の設けられる側
図１等に示すように、ＣＤ収納部開口部６は、上記（Ａ）で記した通り、好適には、ファイルにおける開口部３が設けられる側、すなわち、開口部３を重力方向上方向に配置した際、同方向に配置されるように設けられるが、当該側乃至横側に設定されてもよい。例えば、図６に示すように、開口部３を上方向と規定した場合に、横方向にＣＤ収納部開口部６を設けてもよい。これは、上記（Ｂ）や（Ｃ）等に記した通り、本実施の形態に係るファイルは、ＣＤ収納部５におけるＣＤ等の脱落防止機能が極めて高いため、通常状態（開口部３が上向きの状態）においてＣＤ収納部開口部６が横向きであってもＣＤ等の脱落を効果的に防止できるからである。
【００３５】
・ポケット地４とは別体の弁７
上記例では、ポケット地４を折り曲げて弁７を構成したが、ポケット地４とは別体の弁７をポケット地に融着して設けてもよい。このように構成しても、上記（ｃ）に記載したようなＣＤ等の脱落防止機能が得られるからである。
【００３６】
・本明細書における「辺」「端」は、幾何学的に完全な「辺」「端」のみを意味するのではなく、実質上「辺」「端」と言い得る箇所も含む概念である。例えば、「辺１Ｂｂが下地１Ａに綴じられている」というのは、辺１Ｂｂよりも若干内側において下地１Ａと上地１Ｂとが熱融着されているような構成を含む。
【００３７】
その他、図７に示すようにパイプ式ファイル等の綴じ具に綴じられるようにするための多穴部８を設ける等、適宜変形することができる。
次に、本実施の形態に係るフォルダーについて説明する。
【実施例２】
【００３８】
図８に、本実施の形態に係るフォルダー１０を示す。なお、以下の説明において、ファイル１の構成要素と同等の構成要素には同一の符号を付し、説明を省略する。
【００３９】
フォルダー１０の下地１Ａは、その一部から見出し部１１が突設して設けられている。見出し部１１は、他のフォルダーと区別し、当該フォルダーに収納されている収納物を特定するための情報が記載される領域であり、下地１Ａと一体整形されている。
見出し部１１以外は、図１に示すファイル１とほぼ同等の構成を備えるが、見出し部１１が存する辺１Ａｃを上側と規定した場合、開口部３もＣＤ収納部開口部６も、横方向を向いている。すなわち、収納部２もＣＤ収納部５も横側から収納物の出し入れが行われる。
【００４０】
フォルダー１０は、以上の構成を備えているため、前記したように極めて優れたＣＤ等の脱落防止機能を発揮する。
特にフォルダー１０は、見出し部１１が重力方向横側になるようにして棚やボックス等のフォルダー収納器に収納されたり、見出し部１１が重力方向上側になるようにして収納されたりするなど、フォルダー収納器に収納された状態におけるＣＤ収納部開口部６の向きが一定ではないため、フォルダー収納器に収納された状態においても当該機能が発揮される。
【００４１】
ＣＤ収納部開口部６は、これに接する辺４ａ、４ｃの内、見出し部１１から遠い辺４ａが、見出し部１１が突設されている辺１Ａｃと略平行になるように設定される。通常、フォルダー１０は、見出し部１１が挟持されて取り扱われる。したがって、このように取り扱われた際に、ＣＤ収納部開口部６に接続する辺の内、重力方向下側の辺が、ＣＤ収納部開口部６側が上側になるような辺とされる。すなわち、この辺４ｃは、ＣＤ等をＣＤ収納部内部方向へガイドするため、脱落を防止できる。
【００４２】
本実施の形態に係るフォルダーは、その本旨を変更しない範囲で適宜変更することができる。
例えば、図９に示すように、見出し部１１が設けられた側に開口部３を設けてもよい。すなわち、ＣＤ収納部開口部６に接する辺４ｂ、４ｄの内、見出し部から遠い側の辺４ｂが、見出し部１１が突設されている辺１Ａｃと略直交する関係になるＣＤ収納部５を設けてもよい。また、下地１Ａと上地１Ｂとが一辺において綴られるように１枚の材料を折り曲げるなどして収納部２を構成してもよい。ただし、前記したようにフォルダーは見出し部１１が挟持されて取り扱われることが多いため、見出し部１１と対向する側（辺１ａ側）が開口部３とならないようにすることが好ましい。
【００４３】
見出し部は、下地１Ａではなく上地１Ｂに設けてもよい。また、下地１Ａ若しくは上地１Ｂと一体整形せず、別体として整形し、下地１Ａ若しくは上地１Ｂと貼り付けて構成されるようにしてもよい。
当然、前記したファイルと同様の変形を行うこともできる。
【００４４】
見出し部１１のいずれかの位置を支点として挟持された場合に、ＣＤ収納部５におけるＣＤ収納部開口部６に接する辺の内、見出し部１１から遠い側の辺が、当該開口部６に近づくにつれ重力方向上側になるようにしても、見出し部１１のいずれの位置が挟持されて取り扱われた場合であっても、この状態においてＣＤ等をガイドする辺は開口部方向に上る配置とされるため、ＣＤ等の脱落防止性能が極めて高くなる。
【図面の簡単な説明】
【００４５】
【図１】本実施の形態に係るファイルを説明するための正面図である。
【図２】図１に示すファイルにおいて、ＣＤ収納部５にＣＤが収納された状態を示す図である。
【図３】図１に示すファイルにおいて、ＣＤ収納部５にＣＤが収納された他の状態を示す図である。
【図４】本実施の形態に係るファイルの弁７の他の構成を説明するための図である。
【図５】本実施の形態に係るファイルの弁７のさらに別の構成を説明するための図である。
【図６】本実施の形態に係る他の形態のファイルを説明するための正面図である。
【図７】本実施の形態に係るファイルの変形例を説明するための正面図である。
【図８】本実施の形態に係るフォルダーを説明するための正面図である。
【図９】本実施の形態に係る他の構成のフォルダーを説明するための正面図である。
【符号の説明】
【００４６】
１：ファイル
１Ａ：下地
１Ｂ：上地
２：収納部
３：開口部
４：ポケット地
５：ＣＤ収納部
６：ＣＤ収納部の開口部
７：弁
１０：フォルダー
１１：見出し部
【図１】
2008296999.tif 000003
【図２】
2008296999.tif 000004
【図３】
2008296999.tif 000005
【図４】
2008296999.tif 000006
【図５】
2008296999.tif 000007
【図６】
2008296999.tif 000008
【図７】
2008296999.tif 000009
【図８】
2008296999.tif 000010
【図９】
2008296999.tif 000011